(57)【要約】【課題】座った状態のままで居心地のよい任意の角度に自在に角度を変更できるリクライニング機構、及びそのリクライニング機構を備えた座椅子の提供【解決手段】回動側フレーム部分が固定側フレーム部分に対し回動軸を介して回転自在に連結された回動手段と、当該回動側フレーム部分に加えられる負荷による回動状態に応じて当該負荷と均衡する反発力が与えられたばねが前記回動側フレーム部分と固定側フレーム部分との間に設けられたリクライニング機構とその機構を備えた座椅子。【選択図】    図２
2004329824.tif 000002
【特許請求の範囲】
【請求項１】
回動側フレーム部分が固定側フレーム部分に対し回動軸を介して回転自在に連結された回動手段を設けると共に、当該回動側フレーム部分に加えられる負荷による回動状態に応じて当該負荷と均衡する反発力が与えられたばねが前記回動側フレーム部分と固定側フレーム部分との間に設けられたことを特徴とするリクライニング機構。
【請求項２】
回動手段には回動を不能にするロック手段が設けられたことを特徴とする請求項１に記載のリクライニング機構。
【請求項３】
ロック手段は、回動側フレーム部分側と固定側フレーム部分側との各々に回動方向の側面側に開口するよう設けられた係合穴と、両係合穴に各々係脱自在に係合する係合突起を一体的に備えた係合本体とで構成されたことを特徴とする請求項２に記載のリクライニング機構。
【請求項４】
係合穴は回動側フレーム部分と固定側フレーム部分とに各々固着されたパイプの穴口であり、係合突起は前記穴口に挿入されるパイプ又は棒部材であり、係合本体は前記係合突起が両端に位置するよう配設された棒部材であることを特徴とする請求項３に記載のリクライニング機構。
【請求項５】
ばねは渦巻きばねであり、渦巻きばねの渦中心が回動軸の軸線に一致して設けられたことを特徴とする請求項１乃至請求項４の何れかに記載のリクライニング機構。
【請求項６】
ばねは回動側フレーム部分と固定側フレーム部分との連結部分の側面に配設されたことを特徴とする請求項１乃至請求項５の何れかに記載のリクライニング機構。
【請求項７】
少なくとも座部と背部とから成る座椅子において、座部に座った状態での腰の位置に相応する背部の部分に、請求項１乃至請求項６の何れかに記載のリクライニング機構を設けて、背部の上部側部分が背部の下部側部分に対して仰向け方向に折り曲げ自在な構造としたことを特徴とする座椅子。
【請求項８】
座部に対して折り曲げ自在な脚部を備えた座椅子おいて、脚部の長さ方向途中の膝部分に、請求項１乃至請求項６の何れかに記載のリクライニング機構を設けて、脚部の先端側部分が脚部の後端側部分に対して膝折方向に折り曲げ自在な構造としたことを特徴とする座椅子。
【請求項９】
座部を床面から高い位置に設定したことを特徴とする請求項８に記載の座椅子。
【請求項１０】
座部と背部又は座部と背部と脚部とから成る座椅子において、座部と背部又は座部と脚部との連結部にラチェットギアに代えて請求項１乃至請求項６の何れかに記載のリクライニング機構を設けたことを特徴とする座椅子。
【発明の詳細な説明】
【０００１】
【産業上の利用分野】
本発明は、リクライニング機構を備えた座椅子や椅子に関する。
【０００２】
【従来の技術】
従来、座部に対する背部の角度を変更可能な所謂リクライニング機構を備えた座椅子や椅子が提供されている。
【０００３】
【発明が解決しようとする課題】
しかし、従来のこの種のリクライニング機構（以下、従来型リクライニング機構という）は、何れも、ラチェットギアを用いていたため、角度設定のためには、爪を外してギアを一旦フリーにした上で、所望の或いは予め設定された複数の角度の何れかを任意に選択できるだけであり、選択された角度においては、不動に固定されるものであった。
このため、座った状態において一度選択した角度を改めようとする場合には、座を外すか、座を外すように身を捩じらせるかして、ギアを一旦フリーとしてからでないと、別の角度を選択することができなかった。
【０００４】
本発明は、座った状態のままで居心地のよい任意の角度に自在に角度を変更できるリクライニング機構、及びそのリクライニング機構を備えた座椅子の提供を目的とする。
【０００５】
【課題を解決するための手段】
請求項１のリクライニング機構の発明は、回動側フレーム部分が固定側フレーム部分に対し回動軸を介して回転自在に連結された回動手段を設けると共に、当該回動側フレーム部分に加えられる負荷による回動状態に応じて当該負荷と均衡する反発力が与えられたばねが前記回動側フレーム部分と固定側フレーム部分との間に設けられたこことを特徴とする。
【０００６】
請求項２の発明は、請求項１に記載のリクライニング機構において、回動手段には回動を不能にするロック手段が設けられたことを特徴とする。
【０００７】
請求項３の発明は、請求項２に記載のリクライニング機構において、ロック手段は、回動側フレーム部分側と固定側フレーム部分側との各々に回動方向の側面側に開口するよう設けられた係合穴と、両係合穴に各々係脱自在に係合する係合突起を一体的に備えた係合本体とで構成されたことを特徴とする。
【０００８】
請求項４の発明は、請求項３に記載のリクライニング機構は、係合穴は回動側フレーム部分と固定側フレーム部分とに各々固着されたパイプの穴口であり、係合突起は前記穴口に挿入されるパイプ又は棒部材であり、係合本体は前記係合突起が両端に位置するよう配設された棒部材であることを特徴とする。
【０００９】
請求項５の発明は、請求項１乃至請求項４の何れかに記載のリクライニング機構において、ばねは渦巻きばねであり、渦巻きばねの渦中心が回動軸の軸線に一致して設けられたことを特徴とする。
【００１０】
請求項６の発明は、請求項１乃至請求項５の何れかに記載のリクライニング機構において、ばねは回動側フレーム部分と固定側フレーム部分との連結部分の側面に配設されたことを特徴とする。
【００１１】
請求項７の座椅子の発明は、少なくとも座部と背部とから成る座椅子において、座部に座った状態での腰の位置に相応する背部の部分に、請求項１乃至請求項６の何れかに記載のリクライニング機構を設けて、背部の上部側部分が背部の下部側部分に対して仰向け方向に折り曲げ自在な構造としたことを特徴とする。
【００１２】
請求項８の座椅子の発明は、座部に対して折り曲げ自在な脚部を備えた座椅子おいて、脚部の長さ方向途中の膝部分に、請求項１乃至請求項６の何れかに記載のリクライニング機構を設けて、脚部の先端側部分が脚部の後端側部分に対して膝折方向に折り曲げ自在な構造としたことを特徴とする。
【００１３】
請求項９の発明は、請求項８に記載の座椅子において、座部を床面から高い位置に設定したことを特徴とする。
【００１４】
請求項１０の発明は、座部と背部又は座部と背部と脚部とから成る座椅子において、座部と背部又は座部と脚部との連結部にラチェットギアに代えて請求項１乃至請求項６の何れかに記載のリクライニング機構を設けたことを特徴とする。
【００１５】
【発明の実施の形態】
実施の形態１．
実施の形態１は、座部と背部とから成る座椅子の座部に座った状態で、腰の位置に相応する背部の部分に本発明のリクライニング機構を設けて、背部の上部側部分が背部の下部側部分に対して仰向け方向に折り曲げ自在な構造とした座椅子である。
以下、これを図１乃至図に基づいて説明する。図１は座椅子フレーム全体の斜視図、図２は本発明のリクライニング機構の外観斜視図、図３はそのリクライニング機構の要部断面図である。
【００１６】
図１において、この座椅子１は、パイプをフレーム構成部材として枠形状に組んだ座部２と背部３とから成る。
図示の背部３はパイプがコ字形状に整形された背部フレーム（３）の両端が、各々座椅子用の回動手段として従来から用いられているラチェットギア４、４を介して座部２として整形された座部フレーム（２）の適所に回転自在に連結され、当該ラチェットギア４、４の回動軸（図示せず）を中心として、背部３が座部２に対して所望の角度で回動自在に位置するよう構成されている。以上の座椅子１の構成は従来の折りたたみ式の座椅子と同様である。
尚、図中の５は相対するパイプ間に巻き介された補助骨材としてのテープであり、骨材としてのフレームに装着されるクッション材（図示せず）を支持する。
【００１７】
本発明のリクライニング機構Ｓを備えた座椅子１は、図１に示すように、座部２に座った状態で、腰の位置に相応する背部３の部分、より具体的には、コ字形状に整形された背部フレーム（３）の両端側寄りに各々設けられており、このリクライニング機構Ｓを境にして背部３の上部側部分即ち回動側フレーム部分３１、３１が、背部３の下部側部分即ち固定側フレーム部分３２、３２に対して、例えば図１に示す背部３の基本的形態から背部３の背後方向に向けて回動し、仰向け方向に折り曲げ自在に構成されている。
【００１８】
図２及び図３において、本発明のリクライニング機構Ｓを説明する。
図示のリクライニング機構Ｓは、回動側フレーム部分３１が固定側フレーム部分３２に対し回動軸７０を介して回転自在に連結された回動手段７と、前記回動側フレーム部分３１と固定側フレーム部分３２との間に、回動側フレーム部分３１に加えられる負荷による回動状態に応じて当該負荷と均衡する反発力が与えられたばね８とを備えた構成である。
【００１９】
先ず、回動手段７について説明する。
図示の回動手段７は、回動軸７０と、この回動軸７０を中心にして互いに相対的に回動可能な回動側部材７１と固定側部材７２とで構成されており、回動側部材７１が回動側フレーム部分３１に、固定側部材７２が固定側フレーム部分７２に各々一体的に接続されている。
【００２０】
この実施の形態１では、図１に示すように、背部３自体が直線的に伸びた状態即ち基本的状態から、回動手段７の回動軸７０を回動中心として当該背部３の回動側フレーム部分３１が仰向け状態となるように、例えば、水平状態更には背部３の頭部側即ち自由端側が水平状態より更に下方の床面（図示せず）に達するまで回動可能に構成されている。
他方、回動側フレーム部分３１の座部２側への回動規制は当該背部３が基本的状態を保つよう回動規制手段としてのストッパピン７３が設けられている。この座部２側への回動規制は必ずしも直線的である必要はなく、回動側フレーム部分３１（背部３）が固定側フレーム部分３２（座部２）と鋭角となるように前記ストッパピン７３の位置を設定してもよい（図示せず）。
【００２１】
次に、ばね８について説明する。
図示のばね８は渦巻きばねであり、この渦巻きばね８は、その渦中心が回動軸７０の軸線に一致するよう回動側フレーム部分３１と固定側フレーム部分３２との連結部分の側面即ち回動軸７０の軸線方向側に設けられており、例えば、ばね８の一方端即ち渦中心側の端は、回動側部材７１側即ち当該回動側部材７１と一体的に設けられた回動軸７０の延在部に係止され、他方端が固定側部材７２側即ち固定側フレー部分３２側の外側に設けられた固定側係止ピン８１に係止されて、当該ばね８の巻き戻し方向に作用する反発力によって、回動側フレーム部分３１側が常時ストッパピン７３側に押圧されるよう設定されている。
従って、回動側フレーム部分３１に仰向け方向の負荷が全く掛かっていないときには、この例では、図１に示すように背部３が基本的状態、即ち回動側フレーム部分３１と固定側フレーム部分３１とが直線状態となる。
【００２２】
この渦巻きばね８に与えられているストッパピン７３側への押圧力は、座部２に座った状態において背部３に体重を預けたとき、預ける負荷に応じて、即ち、座った人が背部３の回動側フレーム部分３１に加える力加減に応じて回動した位置で均衡する力（反発力）となるように予めばね８の弾性力が設定されている。従って、座っている人は、背部３即ち回動側フレーム部分３１に預けている体重（負荷）を座った常態のままで適度に加減することにより、実質的に背部３の傾斜角度を任意の状態（角度）に設定することができる。
【００２３】
従って又、仮に、この実施の形態１の座椅子１とは異なり、その座部２と背部３と間に座椅子用ラチェットギア４、４がなくて回動不能に固定されている座椅子であっても、本発明のリクライニング機構Ｓを背部３の腰の位置に設けることによって、実質的には背部３を上記のように、座ったままで希望の姿勢に自在に傾斜（変化）させることができる。
尚、図示のように、渦巻きばね８を回動側フレーム部分３１と固定側フレーム部分３２との連結部分の側面に設けることにより、回動側部材７１と固定側部材７２との回動領域の側面の空きスペースを有効利用することができ、リクライニング機構Ｓの全体の容積を小さくすることができる。
【００２４】
更に、本発明のリクライニング機構Ｓには、その作動を不能とするための簡易なロック手段９が回動手段７に設けられている。これを図１及び図２に基づいて説明する。
図１及び図２において、図示のロック手段９は、回動側フレーム部分３１側と固定側フレーム部分３２側との各々に回動方向の側面側に開口するよう設けられた係合穴９１、９１と、両係合穴９１、９１に各々係脱自在に係合する係合突起９２、９２を一体的に備えた係合本体９３とで構成されている。
【００２５】
係合穴９１、９１は回動側フレーム部分３１と固定側フレーム部分３２とに直交するように各々固着されたパイプ９４、９４の端の穴口を前記の係合突起９２、９２が差し込まれて嵌合する係合穴９５、９５としている。
他方の係合突起９１、９２はこの係合穴９５、９５に各々挿入される棒部材であり、係合本体９３は両係合突起９１、９１が両端に位置するよう配設された棒部材である。
【００２６】
尚、図示の例では、２本のパイプ９４、９４は図１に示すように、背部３を構成するコ字形状のパイプフレーム間に平行に掛け渡されて固定されているため、背部３の左右側面側に当該パイプ９４、９４の穴口が各々開口しているが、少なくとも何れか一方側の穴口を係合穴９５、９５として利用すればよい。
又、係合穴９５、９５は、必ずしもパイプの穴口を用いる必要はなく、背部３を構成するパイプフレームの側面、即ち、回動側フレーム部分３１と固定側フレーム部分３２の各々の側面側に開設してもよい。
【００２７】
実施の形態２．
実施の形態２は、上記実施の形態１の座椅子１の座部２に対して折り曲げ自在な脚部１０が座椅子用ラチェットギア４を用いて連結された構成の座椅子に関するもので、当該脚部１０の長さ方向途中の膝部分１２、即ち、座部２に座って脚部１０に足を乗せた状態においてその膝に相応する部分に、上記実施の形態１のリクライニング機構Ｓを設けたものである。これを図４に示す模式図に基づいて説明する。尚、図４において示す図１乃至図３と同じ符号は同一の内容である。
【００２８】
図４において、この座椅子は、脚部１０と座部２と背部３とが互いに従来型リクライニング機構即ち座椅子用ラチェット４で回動自在に連結されており、背部２には上記実施の形態１で説明したリクライニング機構Ｓ（以下、第１のリクライニング機構Ｓ１という）が設けられ、更に、脚部１０の長さ方向途中の膝部分１２に、第２のリクライニング機構Ｓ２が、当該脚部１０の先端側部分１３が脚部１０の後端側部分１４に対して、膝折方向に折り曲げ自在となるように配設されている。
【００２９】
第２のリクライニング機構Ｓ２の設定は、上記実施の形態１における背部３への第２のリクライニング機構Ｓ１の配設手法と同様である。これを図２を参照しながら図４において簡単に説明する。
図４において、第２のリクライニング機構Ｓ２の回動手段（７）の回動側部材（７１）がパイプで整形された脚部１０の先端側部分１３（図２における回動側フレーム部分３１に相応）、その固定側部材（７２）が脚部１０の後端側部分１４（図２における固定側フレーム部分７２に相応）に、各々一体的に接続されている。
【００３０】
第２のリクライニング機構Ｓの渦巻きばね（８）に与えられる弾性力（反発力）は、図示されていない回動規制手段としてのストッパーピン（７３）に対して、脚部１０に足を真っ直ぐに伸ばして乗せた状態において、先端側部分１３（回動側フレーム部分３１）に膝折方向の負荷が全く掛かっていないときには、脚部１０が基本的状態、即ち、先端側部分１３（図２における回動側フレーム部分３１）と脚部１０の後端側部分１４（図２における固定側フレーム部分７２）とが直線状態となり、膝先側に力を入れて折り曲げたとき、折り曲げる負荷に応じて、後端側部分１４に対して当該先端部分１３が回動した位置で均衡する力（反発力）となるように予め設定されている。
【００３１】
従って、脚部１０に足を乗せている人は、脚部１０を座部２に対して図示のように上方に傾斜させた状態において、膝先側への適度な力の入れ加減よって、脚部１０の膝位置にて、先端側部分１３の後端側部分１４に対する折り曲げ角度（傾斜角度）を任意の状態に設定することができる。
しかも、この実施の形態２の座椅子によれば、第１のリクライニング機構Ｓ１が背部３の腰の位置に設けられているので、第２のリクライニング機構Ｓ２と相俟って、座椅子に座ったままで足腰を同時或いは別個に希望の姿勢に自在に傾斜（変化）させることができ、座ったままで屈伸運動を行うことができる。
【００３２】
実施の形態３．
実施の形態３は、上記実施の形態２の座椅子の座部２を床面（図示せず）から高く維持させた構成の座椅子である。座部２を高く維持させる手段は、図５に示すように、台２１を用いてもよいし、脚等（図示せず）を用いてもよい。
【００３３】
この実施の形態３によれば、座部２を床面（図示せず）から高い位置に設定してあるので、脚部１０に足を乗せている人は、上記実施の形態２のように脚部１０を座部２に対して上方に傾斜させておく必要がなく、例えば、脚部１０を水平状態にしたまま、膝先側への適度な力の入れ加減よって、脚部１０の膝位置にて、先端側部分１３の後端側部分１４に対する折り曲げ角度（傾斜角度）を水平位置より下方の任意の状態に自在に設定することができる。
従って、この実施の形態３の座椅子によれば、上記実施の形態２の座椅子に比べて、座ったままでの足腰の屈伸運動を更に自在に行うことができる。
【００３４】
実施の形態４．
上記実施の形態２及び３の座椅子では、背部２に第１のリクライニング機構Ｓ１を設けているが、背部２にはこの第１のリクライニング機構Ｓ１を設けず、上記実施の形態３のように脚部１０にのみリクライニング機Ｓ２を設けた構成とすることもできる（図示せず）。
【００３５】
実施の形態５．
又、上記実施の形態２乃至４の座椅子では、座部２と背部３と間に座椅子用ラチェットギア４を備えているが、このラチェットギア４がなく、座部２と背部３とが回動不能に固定されている座椅子であって、上記実施の形態３のように脚部１０にのみ本発明のリクライニング機Ｓ２を設けた構成とすることもできる（図示せず）。
【００３６】
実施の形態６．
実施の形態６は、従来の座椅子において用いられているラチェットギア４に代えて本発明のリクライニング機構Ｓを設けた座椅子であり、図６に示す座椅子は座部２と背部３とからなる座椅子において、座部２と背部３との連結部にリクライニング機構Ｓ設けた例である。
イニング機構Ｓ設けた例である。
【００３７】
実施の形態７．
実施の形態７もまた、従来の座椅子において用いられているラチェットギア４に代えて本発明のリクライニング機構Ｓを設けた座椅子であり、図７は脚部１０と座部２と背部３とから成る座椅子において、座部２と背部３との連結部と、脚部１０と座部２との連結部に各々リクライニング機構Ｓ１、Ｓ２を設けた例である。この場合、座部２は上記実施の形態３と同様に床面から高い位置に設定するのが好ましい。
【００３８】
上記実施の形態６及び７のように、座部と背部とから成る座椅子や、座部と背部と脚部とから成る座椅子等の、座部と背部や座部と脚部との連結部にラチェットギアに代えて本発明のリクライニング機構Ｓ（Ｓ１，Ｓ２）を設けることによって、座ったままで、座部と背部や座部と脚部との角度を自在に変化させることができる座椅子を提供することができる。
【００３９】
実施の形態８．
上記実施の形態１乃至７では、座椅子用に用いるリクライニング機構Ｓを説明したが、本発明のリクライニング機構Ｓは座部２に対して背部３の角度が変化可能な椅子にも適用することができる（図示せず）。
【００４０】
【発明の効果】
請求項１乃至請求項６の発明によれば、何れも、座椅子や椅子に座った状態のままで、座部と背部や座部と脚部との角度を居心地のよい任意の角度に自在に変更できる座椅子或いは椅子用のリクライニング機構を提供することができる。
【００４１】
請求項７乃至請求項９の発明によれば、何れも、座った状態のままで、座部と背部や座部と脚部との角度を居心地のよい任意の角度に自在に変更できる座椅子や椅子を提供することができる。
【図面の簡単な説明】
図１は座椅子フレーム全体の斜視図、図２は本発明のリクライニング機構の外観斜視図、図３はそのリクライニング機構の要部断面図
【図１】実施の形態１の座椅子の座椅子フレーム全体の斜視図である。
【図２】実施の形態１のリクライニング機構の外観斜視図である。
【図３】実施の形態１のリクライニング機構の要部断面図である。
【図４】実施の形態２の座椅子の構成の概要を示す模式図である。
【図５】実施の形態３の座椅子の構成の概要を示す模式図である。
【図６】実施の形態６の座椅子の構成の概要を示す模式図である。
【図７】実施の形態７の座椅子の構成の概要を示す模式図である。
【符号の説明】
１  座椅子、                            ２  座部、
３  背部、                            ３１  回動側フレーム部分
３２  固定側フレーム部分、
４  ラチェットギア
７  回動手段、                        ７０  回動軸、
７１  回動側部材、                      ７２  固定側部材、
７３  ストッパーピン
８  ばね                              ８１
９  ロック手段                        ９１  係合穴、
９２  係合突起、                        ９３  係合本体、
９４  パイプ、                          ９５  係合穴、
１０  脚部、                            １２  膝部分、
１３  先端側部分、                      １４  後端側部分、
Ｓ、Ｓ１、Ｓ２  リクライニング機構。
【図１】
2004329824.tif 000003
【図２】
2004329824.tif 000004
【図３】
2004329824.tif 000005
【図４】
2004329824.tif 000006
【図５】
2004329824.tif 000007
【図６】
2004329824.tif 000008
【図７】
2004329824.tif 000009